(57)【要約】配色検査装置は、各色の構成要素がページに配置されているフルカラーの文書を保存する。文書のページごとに構成要素の少なくとも色とサイズとを検出する。ページ全体に対する構成要素のサイズを色別に合計して占有率として出力する。構成要素の色ごとに明度と彩度との少なくとも一方が所定の色閾値を超過していないか判定する。明度と彩度との少なくとも一方が色閾値を超過していると判定された前記色を属性とする構成要素の色別の占有率が所定の占有閾値を超過していないか判定する。占有率が占有閾値を超過していると判定された前記色を属性とする構成要素を出力する。
2011145257.tif 000002
【特許請求の範囲】
【請求項１】
各色の構成要素がページに配置されているフルカラーの文書を保存する文書格納手段と、
前記文書の前記ページごとに前記構成要素の少なくとも色とサイズとを検出する属性検出手段と、
前記ページ全体に対する前記構成要素の前記サイズを前記色別に合計して占有率として出力する占有率計算手段と、
前記構成要素の前記色ごとに明度と彩度との少なくとも一方が所定の色閾値を超過していないか判定する配色検査手段と、
前記明度と前記彩度との少なくとも一方が前記色閾値を超過していると判定された前記色を属性とする前記構成要素の前記色別の前記占有率が所定の占有閾値を超過していないか判定する占有率検査手段と、
前記占有率が前記占有閾値を超過していると判定された前記色を属性とする前記構成要素を出力する結果出力手段と、
を有する配色検査装置。
【請求項２】
前記属性検出手段は、前記文書の前記ページごとに前記構成要素の位置も検出し、
前記ページにおける前記位置および前記サイズに基づいて前記構成要素の上方に重なる他の前記構成要素があるかを判定する重なり分析手段を、さらに有し、
前記占有率計算手段は、重なると判定された上方の前記色が設定されている前記構成要素の面積を下方の前記構成要素の面積から減算して前記占有率を出力する請求項１に記載の配色検査装置。
【請求項３】
前記結果出力手段は、前記構成要素を少なくとも前記色と前記サイズとを内包した複数の属性情報とともに出力する請求項１または２に記載の配色検査装置。
【請求項４】
前記結果出力手段が出力した前記構成要素の色相と前記明度と前記彩度との少なくとも一つを変更する配色変更手段を、さらに有する請求項１ないし３の何れか一項に記載の配色検査装置。
【請求項５】
請求項１ないし４の何れか一項に記載の配色検査装置のコンピュータプログラムであって、
各色の構成要素がページに配置されているフルカラーの文書を保存する文書格納処理と、
前記文書の前記ページごとに前記構成要素の少なくとも色とサイズとを検出する属性検出処理と、
前記ページ全体に対する前記構成要素の前記サイズを前記色別に合計して占有率として出力する占有率計算処理と、
前記構成要素の前記色ごとに明度と彩度との少なくとも一方が所定の色閾値を超過していないか判定する配色検査処理と、
前記明度と前記彩度との少なくとも一方が前記色閾値を超過していると判定された前記色を属性とする前記構成要素の前記色別の前記占有率が所定の占有閾値を超過していないか判定する占有率検査処理と、
前記占有率が前記占有閾値を超過していると判定された前記色を属性とする前記構成要素を出力する結果出力処理と、
を前記配色検査装置に実行させるコンピュータプログラム。
【請求項６】
請求項１ないし４の何れか一項に記載の配色検査装置のデータ処理方法であって、
各色の構成要素がページに配置されているフルカラーの文書を保存する文書格納動作と、
前記文書の前記ページごとに前記構成要素の少なくとも色とサイズとを検出する属性検出動作と、
前記ページ全体に対する前記構成要素の前記サイズを前記色別に合計して占有率として出力する占有率計算動作と、
前記構成要素の前記色ごとに明度と彩度との少なくとも一方が所定の色閾値を超過していないか判定する配色検査動作と、
前記明度と前記彩度との少なくとも一方が前記色閾値を超過していると判定された前記色を属性とする前記構成要素の前記色別の前記占有率が所定の占有閾値を超過していないか判定する占有率検査動作と、
前記占有率が前記占有閾値を超過していると判定された前記色を属性とする前記構成要素を出力する結果出力動作と、
を有するデータ処理方法。
【発明の詳細な説明】
【技術分野】
【０００１】
本発明は、各色の構成要素がページに配置されているフルカラーの文書の配色を検査する配色検査装置、そのコンピュータプログラムおよびデータ処理方法、に関する。
【背景技術】
【０００２】
ウェブコンテンツなどのコンピュータ装置のディスプレイ画面上に表示する文書の配色を検査する方法、装置においては、可読性（読みやすさ）の観点から文書の配色を検査し適切な配色を例示する仕組みがある(特許文献１，非特許文献１，２)。【０００３】
特許文献１の技術では、文書に含まれる構成要素の構造を分析して、階層が隣り合う構成要素の色指標（明度、色相、彩度）の差を計算し、予め定めた閾値以上の差がない場合に可読性不足と判定する。【０００４】
一方、文書に含まれる構成要素間の配色の調和（美しさ、心地よさ）を検査し、適切な配色を例示する仕組みがある(特許文献２，３)。特許文献２の技術では、画面上に表示される要素の表示色について、ユーザが予め指定した感性条件（文書全体として表現しようとする視覚的な状態あるいは全体的な雰囲気を規定するもの）に対して、ユーザが設定した色が適合しているかを算出アルゴリズムによって算出し、ユーザに告知する。【０００５】
さらに、文書等を画像として表示する装置において、眼の疲労を抑制する仕組みを持つものがある(特許文献４)。特許文献４の技術では、プロジェクター等で表示する画像について、画像を表示する際に、画像と画像の周辺領域の輝度を自動的に調和させることで、眼の疲労を抑制する。【０００６】
また、複数の層を有するプリント基板又は半導体部品の配線設計にあたり、貫通孔を容易に配置することがきる配線設計装置の提案がある。その配線設計装置は、位置情報を獲得したと判断すると、ビア配置処理を開始する前に作業対象となっていたウィンドウとは異なる新たなウィンドウをオープンし、オープンしたウィンドウに、取得した層属性を用いて、多層プリント基板に属する配線層と当該配線層の属性とを関連付けて表示する。【０００７】
新たにオープンしたウィンドウには、多層プリント基板に属する配線層と当該配線層の属性とが関連付けて表示される。また、ユーザは、ウィンドウにおいて、マウスを用いてビアを配置する配線層をドラッグ操作によって選択する。ユーザは、マウスを用いて、第１配線層から第６配線層までのビアを配置するために、点Ａから点Ｂまでドラッグ操作を行って領域指定をする(特許文献５)。【０００８】
さらに、文書の中に色合いの対比が施されていることを解析することのできる文書解析装置の提案もある。その技術では、複数の画像を文書から抽出し、抽出された画像から、表示領域が最大の画像と、２番目に大きい画像と、３番目に大きい画像とを選択する。【０００９】
２番目に大きい画像と、３番目に大きい画像との表示領域の大きさの割合が所定の第１閾値以上であるか否かを検出し、表示領域の大きさの割合が所定の第１閾値以上であると検出されたことに基づいて、最大の画像と、２番目に大きい画像との間の色に関する情報の差を検出し、当該色に関する情報の差が所定の第２閾値以上であることに基づいて、当該文書に色合いの対比が施されていると解析する(特許文献６)。
【先行技術文献】
【特許文献】
【００１０】
【特許文献１】特開２００２−１９７４０３号公報
【特許文献２】特開平０８−２４９４４１号公報
【特許文献３】特開２００８−１４６２２７号公報
【特許文献４】特許第２９０３６０４号
【特許文献５】特開２００８−２５７５６５号公報
【特許文献６】特開平１１−３２８３７７号公報
【非特許文献】
【００１１】
【非特許文献１】"aDesigner"、ＩＢＭソフトウェア
【非特許文献２】"ColorSelector"、富士通ソフトウェア
【発明の概要】
【発明が解決しようとする課題】
【００１２】
文書の中には、可読性が高く調和がとれていても、利用者に疲労や不快を感じさせる好ましくない配色のものがある。【００１３】
これに対して、従来技術である目の疲労を抑制する仕組みを持つ表示装置（特許文献４）を用いれば、プロジェクター等で文書を画像として表示する段階で目の疲労を軽減することは可能である。【００１４】
しかし、これは画像と画像の周辺領域の輝度を自動的に調和させることで眼の疲労を抑制する。つまり、文書そのものの配色の問題点を解決しているわけではない。そのため、上述の表示装置以外での文書の利用者は、目の疲労を避けることはできない。【００１５】
本発明は上述のような課題に鑑みてなされたものであり、利用者に疲労感や不快感などを及ぼす配色の問題点を簡単かつ確実に発見することができる配色検査装置、そのコンピュータプログラムおよびデータ処理方法、を提供するものである。
【課題を解決するための手段】
【００１６】
本発明の配色検査装置は、各色の構成要素がページに配置されているフルカラーの文書を保存する文書格納手段と、文書のページごとに構成要素の少なくとも色とサイズとを検出する属性検出手段と、ページ全体に対する構成要素のサイズを色別に合計して占有率として出力する占有率計算手段と、構成要素の色ごとに明度と彩度との少なくとも一方が所定の色閾値を超過していないか判定する配色検査手段と、明度と彩度との少なくとも一方が色閾値を超過していると判定された色を属性とする構成要素の色別の占有率が所定の占有閾値を超過していないか判定する占有率検査手段と、占有率が占有閾値を超過していると判定された色を属性とする構成要素を出力する結果出力手段と、を有する。【００１７】
本発明のコンピュータプログラムは、本発明の配色検査装置のコンピュータプログラムであって、各色の構成要素がページに配置されているフルカラーの文書を保存する文書格納処理と、文書のページごとに構成要素の少なくとも色とサイズとを検出する属性検出処理と、ページ全体に対する構成要素のサイズを色別に合計して占有率として出力する占有率計算処理と、構成要素の色ごとに明度と彩度との少なくとも一方が所定の色閾値を超過していないか判定する配色検査処理と、明度と彩度との少なくとも一方が色閾値を超過していると判定された色を属性とする構成要素の色別の占有率が所定の占有閾値を超過していないか判定する占有率検査処理と、占有率が占有閾値を超過していると判定された色を属性とする構成要素を出力する結果出力処理と、を配色検査装置に実行させる。【００１８】
本発明のデータ処理方法は、本発明の配色検査装置のデータ処理方法であって、各色の構成要素がページに配置されているフルカラーの文書を保存する文書格納動作と、文書のページごとに構成要素の少なくとも色とサイズとを検出する属性検出動作と、ページ全体に対する構成要素のサイズを色別に合計して占有率として出力する占有率計算動作と、構成要素の色ごとに明度と彩度との少なくとも一方が所定の色閾値を超過していないか判定する配色検査動作と、明度と彩度との少なくとも一方が色閾値を超過していると判定された色を属性とする構成要素の色別の占有率が所定の占有閾値を超過していないか判定する占有率検査動作と、占有率が占有閾値を超過していると判定された色を属性とする構成要素を出力する結果出力動作と、を有する。【００１９】
なお、本発明の各種の構成要素は、その機能を実現するように形成されていればよく、例えば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。【００２０】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。【００２１】
また、本発明のコンピュータプログラムおよびデータ処理方法は、複数の処理および動作を順番に記載してあるが、その記載の順番は複数の処理および複数の動作を実行する順番を限定するものではない。【００２２】
このため、本発明のコンピュータプログラムおよびデータ処理方法を実施するときには、その複数の処理および複数の動作の順番は内容的に支障しない範囲で変更することができる。【００２３】
さらに、本発明のコンピュータプログラムおよびデータ処理方法は、複数の処理および複数の動作が個々に相違するタイミングで実行されることに限定されない。このため、ある処理および動作の実行中に他の処理および動作が発生すること、ある処理および動作の実行タイミングと他の処理および動作の実行タイミングとの一部ないし全部が重複していること、等でもよい。【００２４】
また、本発明で云う配色検査装置は、コンピュータプログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
【発明の効果】
【００２５】
本発明の配色検査装置では、各色の構成要素がページに配置されているフルカラーの文書を文書格納手段が保存する。文書のページごとに構成要素の少なくとも色とサイズとを属性検出手段が検出する。ページ全体に対する構成要素のサイズを色別に合計して占有率として占有率計算手段が出力する。構成要素の色ごとに明度と彩度との少なくとも一方が所定の色閾値を超過していないか配色検査手段が判定する。明度と彩度との少なくとも一方が色閾値を超過していると判定された前記色を属性とする構成要素の色別の占有率が所定の占有閾値を超過していないか占有率検査手段が判定する。占有率が占有閾値を超過していると判定された前記色を属性とする構成要素を結果出力手段が出力する。このため、利用者に疲労感や不快感などを及ぼす配色の問題点を簡単かつ確実に発見することができる。
【図面の簡単な説明】
【００２６】
上述した目的、および、その他の目的、特徴および利点は、以下に述べる好適な実施の形態、および、それに付随する以下の図面によって、さらに明らかになる。
【図１】本発明の実施の第一の形態の配色検査装置の論理構造を示す模式的なブロック図である。
【図２】配色検査装置のデータ処理方法の要部を示すフローチャートである。
【図３】配色検査装置のデータ処理方法の要部を示すフローチャートである。
【図４】実施の第二の形態の配色検査装置の論理構造を示す模式的なブロック図である。
【図５】配色検査装置のデータ処理方法の要部を示すフローチャートである。
【図６】配色検査装置のデータ処理方法の要部を示すフローチャートである。
【図７】実施の第三の形態の配色検査装置の論理構造を示す模式的なブロック図である。
【図８】実施の第四の形態の配色検査装置の論理構造を示す模式的なブロック図である。
【図９】本発明の実施例の文書の表示画面を示す模式的な正面図である。
【図１０】構成要素の属性情報のデータ構造を示す模式図である。
【図１１】構成要素の重なり情報のデータ構造を示す模式図である。
【図１２】構成要素の表示面積のデータ構造を示す模式図である。
【図１３】ページ内の背景色のデータ構造を示す模式図である。
【図１４】背景色のページ内の占有率のデータ構造を示す模式図である。
【発明を実施するための形態】
【００２７】
本発明の実施の第一の形態を図１ないし図３を参照して以下に説明する。本発明の配色検査装置は、各色の構成要素がページに配置されているフルカラーの文書を保存する文書格納手段と、文書のページごとに構成要素の少なくとも色とサイズとを検出する属性検出手段と、ページ全体に対する構成要素のサイズを色別に合計して占有率として出力する占有率計算手段と、構成要素の色ごとに明度と彩度との少なくとも一方が所定の色閾値を超過していないか判定する配色検査手段と、明度と彩度との少なくとも一方が色閾値を超過していると判定された色を属性とする構成要素の色別の占有率が所定の占有閾値を超過していないか判定する占有率検査手段と、占有率が占有閾値を超過していると判定された前記色を属性とする構成要素を出力する結果出力手段と、を有する。
【００２８】
より具体的には、図１を参照すると、本発明の実施の第一の形態の配色検査装置は、ウェブコンテンツなどのコンピュータ装置のディスプレイ画面上に表示するフルカラーの文書を保存する文書格納部１０と、文書のページ（画面）ごとに当該ページの構成要素の、色、種類、位置、サイズ、などの属性情報を分析する構成要素情報分析部２０と、表示面積計算部３０と、配色検査部４０と、配色検査の結果を表示する検査結果表示部５０と、を有する。
【００２９】
表示面積計算部３０は、色別占有率計算手段３０２を含む。色別占有率計算手段３０２は、構成要素情報分析部２０から出力された構成要素の属性情報のうち構成要素の表示面積（利用者の目に見える面積）を色別に集計し、色別に集計された表示面積の画面（ページ）全体に対する割合を算出して占有率として出力する。
【００３０】
配色検査部４０は、色別占有率検査手段４０１と色別明度・彩度検査手段４０２とを含む。色別明度・彩度検査手段４０２は、明度と彩度の各々について色閾値を保持し、当該ページにおける使用色について、その明度と彩度を各々保持する色閾値と比較し、当該明度あるいは彩度のどちらか、または両方が色閾値の範囲内にあるかを判定する。
【００３１】
色別占有率検査手段４０１は、占有率に関する占有閾値を保持し、上記色別明度・彩度検査手段４０２において、当該明度あるいは彩度のどちらか、または両方が色閾値を越えると判定された色について、色別占有率計算手段３０２から出力された占有率を当該占有閾値と比較し、上記占有率が占有閾値を超える色について、好ましくない配色と判定する。
【００３２】
なお、上述のような構造の配色検査装置は、いわゆるコンピュータ装置に適切なコンピュータプログラムを実装することで実現される。このようなコンピュータプログラムは、例えば、各色の構成要素がページに配置されているフルカラーの文書を保存する文書格納処理と、文書のページごとに構成要素の少なくとも色とサイズとを検出する属性検出処理と、ページ全体に対する構成要素のサイズを色別に合計して占有率として出力する占有率計算処理と、構成要素の色ごとに明度と彩度との少なくとも一方が所定の色閾値を超過していないか判定する配色検査処理と、明度と彩度との少なくとも一方が色閾値を超過していると判定された色を属性とする構成要素の色別の占有率が所定の占有閾値を超過していないか判定する占有率検査処理と、占有率が占有閾値を超過していると判定された前記色を属性とする構成要素を出力する結果出力処理と、を配色検査装置に実行させるように記述される。
【００３３】
つぎに、図１のブロック図、および、図２、図３のフローチャートを参照して、本実施の形態の全体の動作について詳細に説明する。まず、文書格納部１０に保存されている文書について、構成要素情報分析部２０がページ（画面）ごとに構成要素の色、種類、位置、サイズ、などの属性情報を分析する。
【００３４】
上記構成要素の属性情報を受けて、色別占有率計算手段３０２は、当該属性情報の中から色の情報を取り出してページ（画面）における使用色のリストを作成する（図３のＳ１１１）。
【００３５】
つぎに、上記使用色リストの中から、まだ選択していない一色を選んで（図３のＳ１１２−Ｎ〜Ｓ１１３）、上記属性情報から当該色を持つ構成要素を抽出し（図３のＳ１１４）、抽出された構成要素の表示面積に関する情報を取り出して、当該表示面積を集計する（図３のＳ１１５）。
【００３６】
さらに、集計した当該表示面積のページ（画面）全体の面積に対する割合を算出して、当該色のページ（画面）占有率として出力する（図３のＳ１１６）。Ｓ１１２〜Ｓ１１６の動作を、上記使用色リストにある全ての色が選択済みになるまで繰り返す。
【００３７】
なお、Ｓ１１１〜Ｓ１１６（使用色リストの作成、構成要素の表示面積の色ごとの集計、色ごとの表示面積の画面（ページ）に対する割合（占有率）の算出）については、色の値が近いものをグルーピングして行ってもよい。
【００３８】
つぎに、色別明度・彩度検査手段４０２が、まだ選択していない一色を選んで（図２のＳ１２１−Ｎ〜Ｓ１２２）、当該色の明度を保持する色閾値と比較する（図２のＳ１２３）。当該明度が色閾値の範囲内であれば(図２のＳ１２３−Ｙ)、当該色の彩度を保持する色閾値と比較する（図２のＳ１２６）。
【００３９】
当該明度が色閾値を超える場合には(図２のＳ１２３−Ｎ)、色別占有率検査手段４０１が、色別占有率計算手段３０２から出力された色ごとの領域の画面（ページ）全体に対する占有率を受けて、当該色の領域の占有率を保持している占有閾値と比較する（図２のＳ１２４）。
【００４０】
占有率が占有閾値の範囲内であれば（図２のＳ１２４−Ｙ）、当該色の彩度を保持する色閾値と比較する（図２のＳ１２６）。占有率が占有閾値を超える場合には（図２のＳ１２４−Ｎ）、明度の点から好ましくない配色との判定結果を出力して（図２のＳ１２５）、当該色の彩度を保持する色閾値と比較する（図２のＳ１２６）。
【００４１】
当該彩度が色閾値の範囲内であれば（図２のＳ１２６−Ｙ）、次の色を抽出して検査する（図２のＳ１２１〜Ｓ１２２）。当該彩度が色閾値を超える場合には（図２のＳ１２６−Ｎ）、色別占有率検査手段４０１が、色別占有率計算手段３０２から出力された色ごとの領域の画面（ページ）全体に対する占有率を受けて、当該色の領域の占有率を保持している占有閾値と比較する（図２のＳ１２７）。
【００４２】
占有率が占有閾値の範囲内であれば（図２のＳ１２７−Ｙ）、次の色を抽出して検査する（図２のＳ１２１〜Ｓ１２２）。当該占有率が占有閾値を超える場合には（図２のＳ１２７−Ｎ）、彩度の点から好ましくない配色との判定結果を出力する（図２のＳ１２８）。
【００４３】
Ｓ１２１〜Ｓ１２８の動作を、全ての色が検査済みになるまで繰り返す。なお、Ｓ１２３〜Ｓ１２５（当該色の明度、占有率の占有閾値との比較）とＳ１２６〜Ｓ１２８（当該色の彩度、占有率の占有閾値との比較）は、順番を逆にして行ってもよい。最後に、検査結果表示部５０が、配色検査部４０からの出力内容を表示する。
【００４４】
本実施の形態の配色検査装置では、画面（文書のページ）上に表示されている色の領域の画面（ページ）全体における占有率を求め、上記表示色の明度と彩度を各々保持する色閾値と比較し、当該明度あるいは彩度のどちらか、または両方が色閾値の範囲内にあるかを判定し、上記明度あるいは彩度のどちらか、または両方が色閾値を超える色について、出力された占有率を保持する占有閾値とを比較して、占有閾値を超える色について、好ましくない配色と判定する。
【００４５】
このため、ウェブコンテンツなどのコンピュータ装置のディスプレイ画面上に表示する文書について、利用者の疲労感や不快感など好ましくない影響を生じさせる原因となる配色の問題点を見つけることができる。
【００４６】
従って、例えば、文書の作成時に利用者が疲労感や不快感などを感じる部分を客観的に特定することができるので、その部分の明度や彩度を補正することで、利用者が疲労感や不快感などを感じない文書を作成することができる。
【００４７】
つぎに、本発明の実施の第二の形態について図２ないし図６を参照して詳細に説明する。本実施の形態の配色検査装置では、属性検出手段は、文書のページごとに構成要素の位置も抽出する。
【００４８】
ページにおける位置およびサイズに基づいて構成要素の上方に重なる他の構成要素があるかを判定する重なり分析手段を、さらに有し、色別占有率計算手段は、重なると判定された上方の色が設定されている構成要素の面積を下方の構成要素の面積から減算して占有率を出力する。
【００４９】
より具体的には、図４を参照すると、本実施の形態の配色検査装置は、ウェブコンテンツなどのコンピュータ装置のディスプレイ画面上に表示する文書を保存する文書格納部１０と、文書のページ（画面）ごとに当該ページの構成要素の、色、種類、位置、サイズ、などの属性情報を分析する構成要素情報分析部２０と、表示面積計算部３０と、配色検査部４０と、配色検査の結果を表示する検査結果表示部５０と、から構成されている。
【００５０】
構成要素情報分析部２０は、要素の重なり分析手段２０２を含む。要素の重なり分析手段２０２は、構成要素のページ（画面）における位置およびサイズをもとに構成要素の上に重なる他の構成要素があるかを判定し、重なる他の構成要素がある場合には、真上に位置する他の構成要素を特定する。
【００５１】
表示面積計算部３０は、要素表示面積計算手段３０１と色別占有率計算手段３０２を含む。要素表示面積計算手段３０１は、要素の重なり分析手段２０２から出力された情報をもとに、構成要素の上に重なる他の構成要素がある場合には、当該他の構成要素のうち色が設定されていてかつ当該構成要素に一番重なりが近い他の構成要素の面積を、当該構成要素の面積から引き算して、当該構成要素の表示面積（利用者の目に見える面積）を算出する。
【００５２】
色別占有率計算手段３０２は、要素表示面積計算手段３０１から出力された構成要素の表示面積（利用者の目に見える面積）を色別に集計し、上記色別に集計された表示面積の画面（ページ）全体に対する割合を算出して占有率として出力する。
【００５３】
配色検査部４０は、色別占有率検査手段４０１と色別明度・彩度検査手段４０２とを含む。色別明度・彩度検査手段４０２は、明度と彩度の各々について色閾値を保持し、当該ページにおける使用色について、その明度と彩度を各々保持する色閾値と比較し、当該明度あるいは彩度のどちらか、または両方が色閾値の範囲内にあるかを判定する。
【００５４】
色別占有率検査手段４０１は、占有率に関する占有閾値を保持し、上記色別明度・彩度検査手段４０２において、当該明度あるいは彩度のどちらか、または両方が色閾値を越えると判定された色について、色別占有率計算手段３０２から出力された占有率を当該占有閾値と比較し、上記占有率が占有閾値を超える色について、好ましくない配色と判定する。
【００５５】
つぎに、図２、図３、図５および図６のフローチャートを参照して本実施の形態の全体の動作について詳細に説明する。
【００５６】
まず、文書格納部１０に保存されている文書について、構成要素情報分析部２０がページ（画面）ごとに構成要素の色、種類、位置、サイズ、などの属性情報を分析する（図５のＳ３１１〜Ｓ３１５）。
【００５７】
つぎに、要素の重なり分析手段２０２が、構成要素のページ（画面）における位置およびサイズをもとに構成要素の上に重なる他の構成要素があるかを判定し（図５のＳ３１６）、重なる他の構成要素がある場合には真上に位置する他の構成要素を特定する（図５のＳ３１７）。
【００５８】
つぎに、要素表示面積計算手段３０１が、構成要素の中から表示面積を出力していない一構成要素を選んで（図６のＳ２２１−Ｎ〜Ｓ２２２）、構成要素情報分析部２０から出力された情報をもとに、当該構成要素に色が設定されているかを確認する（図６のＳ２２３）。
【００５９】
色が設定されていない場合には（図６のＳ２２３−Ｎ）、当該構成要素の表示面積（利用者の目に見える面積）を０と出力し（図６のＳ２２８）、上記Ｓ２２１に戻って構成要素の表示面積を計算する。
【００６０】
当該構成要素に色が設定されている場合には（図６のＳ２２３−Ｙ）、要素の重なり分析手段２０２から出力された情報をもとに、当該構成要素の上に重なる他の構成要素があるかを確認する（図６のＳ２２４）。
【００６１】
重なる他の構成要素がない場合には（図６のＳ２２４−Ｎ）、当該構成要素の面積を表示面積（利用者の目に見える面積）として出力し（図６のＳ２２９）、上記Ｓ２２１に戻って構成要素の表示面積を計算する。
【００６２】
重なる他の構成要素がある場合には（図６のＳ２２４−Ｙ）、当該構成要素に一番重なりが近い（当該構成要素の真上の）他の構成要素の中に色が設定されている構成要素があるかを確認し（図６のＳ２２５）、色が設定されている構成要素がある場合には（図６のＳ２２５−Ｙ）、それらの面積を当該構成要素を隠す他要素面積として出力する（図６のＳ２２６）。
【００６３】
色が設定されている構成要素がない場合（図６のＳ２２５−Ｎ）、また当該構成要素を隠す他要素面積を出力したら（図６のＳ２２６）、当該構成要素の真上の他の構成要素の中に色が設定されていない構成要素があるかを確認する（図６のＳ２２７）。
【００６４】
色が設定されてない構成要素がない場合には（図６のＳ２２７−Ｎ）、上記のＳ２２６で出力した面積を当該構成要素の面積から引き算して、表示面積（利用者の目に見える面積）として出力し（図６のＳ２３０）、上記Ｓ２２１に戻って構成要素の表示面積を計算する。
【００６５】
当該構成要素の真上の他の構成要素の中に色が設定されてない構成要素がある場合には（図６のＳ２２７−Ｙ）、それら色未設定の他の構成要素の中から検査していない一構成要素を選んで（図６のＳ２３１−Ｎ〜Ｓ２３２）、要素の重なり分析手段２０２から出力された情報をもとに、当該色未設定の構成要素の上に重なる他の構成要素があるかを確認する（図６のＳ２３３）。当該色未設定の構成要素の上に重なる他の構成要素がない場合には（図６のＳ２３３−Ｎ）、上記Ｓ２３１に戻って色未設定の構成要素を検査する。
【００６６】
当該色未設定の構成要素の上に重なる他の構成要素がある場合には（図６のＳ２３３−Ｙ）、当該色未設定の構成要素に一番重なりが近い（当該色未設定の構成要素の真上の）他の構成要素の中に色が設定されている構成要素があるかを確認し（図６のＳ２３４）、色が設定されている構成要素がある場合には（図６のＳ２３４−Ｙ）、それらの面積を当該構成要素を隠す他要素面積として出力する（図６のＳ２３５）。
【００６７】
色が設定されている構成要素がない場合（図６のＳ２３４−Ｎ）、また当該構成要素を隠す他要素面積を出力したら（図６のＳ２３５）、当該色未設定の構成要素の真上の他の構成要素の中に色が設定されていない構成要素があるかを確認する（図６のＳ２３６）。色が設定されてない構成要素がない場合には（図６のＳ２３６−Ｎ）、上記Ｓ２３１に戻って色未設定の構成要素を検査する。
【００６８】
さらに、当該色未設定の構成要素の真上の他の構成要素の中に色が設定されてない構成要素がある場合には、それら色未設定の他の構成要素の中から検査していない一構成要素を選んで、上記Ｓ２３１〜２３６と同様の検査を、検査対象構成要素の真上に色未設定の構成要素がなくなるまで行う（図６のＳ２３１'〜Ｓ２３６'）。
【００６９】
全ての色未設定の構成要素の検査が終わったら、上記のＳ２２６で出力した面積と上記Ｓ２３５、Ｓ２３５'で出力した面積とを当該構成要素の面積から引き算して、表示面積（利用者の目に見える面積）として出力し（図６のＳ２３０）、上記Ｓ２２１に戻って構成要素の表示面積を計算する。上述のようなＳ２２１〜Ｓ２３６の動作を、全ての構成要素について表示面積を出力するまで繰り返す。
【００７０】
上記構成要素の属性情報と要素表示面積計算手段３０１が出力した構成要素ごとの表示面積の情報を受けて、色別占有率計算手段３０２は、当該属性情報の中から色の情報を取り出してページ（画面）における使用色のリストを作成する（図３のＳ１１１）。
【００７１】
つぎに、上記使用色リストの中からまだ選択していない一色を選んで（図３のＳ１１２−Ｎ〜Ｓ１１３）、上記属性情報から当該色を持つ構成要素を抽出し（図３のＳ１１４）、上記構成要素ごとの表示面積情報から抽出構成要素の表示面積を取り出して、当該表示面積を集計する（図３のＳ１１５）。
【００７２】
さらに、集計した当該表示面積のページ（画面）全体の面積に対する割合を算出して、当該色のページ（画面）占有率として出力する（図３のＳ１１６）。Ｓ１１２〜Ｓ１１６の動作を、上記使用色リストにある全ての色が選択済みになるまで繰り返す。
【００７３】
なお、Ｓ１１１〜Ｓ１１６（使用色リストの作成、構成要素の表示面積の色ごとの集計、色ごとの表示面積の画面（ページ）に対する割合（占有率）の算出）については、色の値が近いものをグルーピングして行ってもよい。
【００７４】
つぎに、色別明度・彩度検査手段４０２が、まだ選択していない一色を選んで（図２のＳ１２１−Ｎ〜Ｓ１２２）、当該色の明度を保持する色閾値と比較する（図２のＳ１２３）。当該明度が色閾値の範囲内であれば、当該色の彩度を保持する色閾値と比較する（図２のＳ１２６）。
【００７５】
当該明度が色閾値を超える場合には、色別占有率検査手段４０１が、色別占有率計算手段３０２から出力された色ごとの領域の画面（ページ）全体に対する占有率を受けて、当該色の領域の占有率を保持している占有閾値と比較する（図２のＳ１２４）。
【００７６】
占有率が占有閾値の範囲内であれば、当該色の彩度を保持する色閾値と比較する（図２のＳ１２６）。占有率が占有閾値を超える場合には、明度の点から好ましくない配色との判定結果を出力して（図２のＳ１２５）、当該色の彩度を保持する色閾値と比較する（図２のＳ１２６）。
【００７７】
当該彩度が色閾値の範囲内であれば、次の色を抽出して検査する（図２のＳ１２１〜Ｓ１２２）。当該彩度が色閾値を超える場合には、色別占有率検査手段４０１が、色別占有率計算手段３０２から出力された色ごとの領域の画面（ページ）全体に対する占有率を受けて、当該色の領域の占有率を保持している占有閾値と比較する（図２のＳ１２７）。
【００７８】
占有率が占有閾値の範囲内であれば、次の色を抽出して検査する（図２のＳ１２１〜Ｓ１２２）。当該占有率が占有閾値を超える場合には、彩度の点から好ましくない配色との判定結果を出力する（図２のＳ１２８）。
【００７９】
Ｓ１２１〜Ｓ１２８の動作を、全ての色が検査済みになるまで繰り返す。なお、Ｓ１２３〜Ｓ１２５（当該色の明度、占有率の占有閾値との比較）とＳ１２６〜Ｓ１２８（当該色の彩度、占有率の占有閾値との比較）は、順番を逆にして行ってもよい。最後に、検査結果表示部５０が、配色検査部４０からの出力内容を表示する。
【００８０】
つぎに、本形態の効果について説明する。本形態の配色検査装置では、実施の第一の形態の配色検査装置の構成に加えて、構成要素のページ（画面）における位置およびサイズをもとに構成要素の上に重なる他の構成要素があるかを判定し、重なる他の構成要素がある場合には真上に位置する他の構成要素を特定する要素の重なり分析手段２０２と、要素の重なり分析手段２０２から出力された情報をもとに、構成要素の上に重なる他の構成要素がある場合には、色の設定されている他の構成要素のうち当該構成要素に一番重なりが近い他の構成要素の面積を、当該構成要素の面積から引き算して、当該構成要素の表示面積（利用者の目に見える面積）を算出する要素表示面積計算手段３０１とを備えている。
【００８１】
このため、文書のページ（画面）を構成する構成要素が重なりあい、構成要素そのものの面積と利用者の目に見える面積に違いがある場合においても、利用者の目に見える面積を算出することができる。
【００８２】
これによって、利用者の疲労感や不快感など好ましくない影響を生じさせる原因となる配色の問題点をより正確に見つけることができる。従って、例えば、文書の作成時に利用者が疲労感や不快感などを感じる部分を客観的に特定することができるので、その部分の明度や彩度を補正することで、利用者が疲労感や不快感などを感じない文書を作成することができる。
【００８３】
つぎに、本発明の実施の第三の形態について図面を参照して詳細に説明する。本実施の形態の配色検査装置では、結果出力手段は、構成要素を少なくとも色とサイズとを内包した複数の属性情報とともに出力する。
【００８４】
より具体的には、図７を参照すると、本発明の実施の第三の形態の配色検査装置は、実施の第一の形態、実施の第二の形態のいずれかの構成に加えて、情報記憶部６０と色＆要素関係表示部７０とを備える。
【００８５】
情報記憶部６０は、構成要素情報分析部２０、表示面積計算部３０３の各々から出力された構成要素ごとの属性情報、色ごとの表示面積および占有率を記録して保持する。色＆要素関係表示部７０は、配色検査部４０から出力された好ましくない色について、情報記憶部６０に記録されている情報を参照して当該色が設定されている構成要素を抽出し、当該色と上記構成要素の関係を利用者にわかるように表示する。
【００８６】
本実施の形態においては、実施の第一の形態および第二の形態の何れかの配色検査装置において、構成要素情報分析部２０、表示面積計算部３０３の各々から構成要素ごとの属性情報、色ごとの表示面積および占有率が出力される。
【００８７】
すると、それらの情報は実施の第一の形態および第二の形態の何れかの配色検査装置における処理と同様に、次の動作を行う手段に送られると共に、情報記憶部６０に記録される。
【００８８】
さらに、色別占有率検査手段４０１、色別明度・彩度検査手段４０２が実施の第一の形態および第二の形態の何れかの配色検査装置と同様の処理を行った後、配色検査部４０からページ（画面）で使用されている特定の色について好ましくない配色との判定結果が出力されると、当該結果が検査結果表示部５０に表示されると共に、色＆要素関係表示部７０が情報記憶部６０に記録されている情報を参照して当該色が設定されている構成要素を抽出し、当該色と上記構成要素の関係を利用者にわかるように表示する。
【００８９】
本実施の形態においては、実施の第一の形態および第二の形態の配色検査装置の構成に加えて、情報記憶部６０、色＆要素関係表示部７０とを備えたことにより、好ましくない配色と判定された色について、文書のページ（画面）を構成するどの構成要素が当該色を持つ構成要素であるかを利用者に明示することができる。これによって、利用者が、ページ（画面）内で配色を修正すべき構成要素をすばやく特定し、修正作業につなげることが可能となる。
【００９０】
つぎに、本発明の実施の第四の形態について図面を参照して詳細に説明する。本実施の形態の配色検査装置は、結果出力手段が出力した構成要素の色と明度と彩度との少なくとも一つを変更する配色変更手段を、さらに有する。
【００９１】
より具体的には、図８を参照すると、本発明の実施の第四の形態の配色検査装置は、実施の第三の形態の配色検査装置の構成に加えて、利用者に検査対象の文書のページ（画面）の配色を変更する手段を提供する配色変更部９０と文書格納部１０に保存されている検査対象文書を表示する文書表示部８０とを備える。
【００９２】
本実施の形態においては、実施の第三の形態と同様の処理を行った後、利用者が、検査結果表示部５０が提示する判定結果および色＆要素関係表示部７０が提示する好ましくないと判定された色と当該色が設定されている構成要素の情報を参照しながら、色または構成要素を指定して配色変更部９０に変更色を入力すると、配色変更部９０は利用者の入力に従って、文書格納部１０に保存されている検査対象文書の配色を変更する。
【００９３】
さらに、配色変更部９０は上記配色変更後に、構成要素情報分析部２０に要素属性の分析を指示し、以降構成要素の重なり分析、表示面積計算、色別占有率計算、配色検査の処理を行った後、配色の変更による再検査結果が検査結果表示部５０に、また再検査結果に基づいた色と当該色を持つ構成要素との関係が色＆要素関係表示部７０に再表示される。文書表示部８０は、文書格納部１０を参照し、配色の変更された最新の文書を表示する。
【００９４】
本実施の形態においては、実施の第三の形態の配色検査装置の構成に加えて、検査対象の文書のページ（画面）の配色を変更できる配色変更部９０と、配色の変更結果を画面（ページ）上ですぐに確認できる文書表示部８０とを備えた。
【００９５】
このため、配色検査の結果を参照しながら、その場で配色を変更し、その変更結果を画面（ページ）上で即時に確認することができる。これによって、利用者が配色検査に基づいて文書のページ（画面）の配色を修正する作業をよりスムーズに進めることが可能となる。
【００９６】
［実施例］
つぎに、具体的な実施例を用いて本発明を実施するための最良の形態の動作を説明する。図９に示す画面を例に、例えば「目の疲れやすさ」について、本発明による配色検査の動作を説明する。
【００９７】
まず、文書格納部１０に保存されている図９に示す画面（文書）について、構成要素情報分析部２０がページ（画面）の構成要素の背景色、種類、位置、サイズ、などの属性情報を分析し（図５のＳ３１１〜Ｓ３１５）、構成要素ごとの属性情報一覧を出力する（図１０）。
【００９８】
さらに、要素の重なり分析手段２０２が、構成要素のページ（画面）における位置およびサイズをもとに構成要素の上に重なる他の構成要素があるかを判定し（図５のＳ３１６）、重なる他の構成要素がある場合には真上に位置する他の構成要素を特定し（図５のＳ３１７）、出力する（図１１）。
【００９９】
例えば、図９の構成要素ＣＰ０１の場合、図１０にあるように構成要素の位置（ｔｏｐ０、ｌｅｆｔ０）で、サイズ（ｈｅｉｇｈｔ７７０、ｗｉｄｔｈ８７０）であり、他の構成要素は全てＣＰ０１よりも右下に位置し、かつ（ｈｅｉｇｈｔ＜＝７７０、ｗｉｄｔｈ＜＝８７０）であることから、ＣＰ０１の上に重なる構成要素が有りと判定される。
【０１００】
さらに、サイズがＣＰ０１のつぎに大きいＣＰ１１が、ＣＰ１０とＣＰ１２〜２３よりも左上に位置し（ｈｅｉｇｈｔ：高、ｗｉｄｔｈ：広）であること、さらに３番目に大きいＣＰ０３がＣＰ０２とＣＰ０４〜ＣＰ０９よりも左上に位置し（ｈｅｉｇｈｔ：高、ｗｉｄｔｈ：広）であることから、ＣＰ０１の真上に重なる構成要素はＣＰ１１とＣＰ０３であることが特定でき、図１１のＣＰ０１にあるように、重なる構成要素：有（１）、真上の構成要素：ＣＰ０３、ＣＰ１１と出力される。
【０１０１】
つぎに、要素表示面積計算の動作について図９の画面を例に説明する。要素表示面積計算手段３０１が、構成要素の中から表示面積を出力していない一構成要素としてまずＣＰ０１を選ぶ（図６のＳ２２１〜Ｓ２２２）。
【０１０２】
つぎに、構成要素情報分析部２０から出力されたＣＰ０１の背景色の情報（Ｈ，Ｓ，Ｖ）＝（０，０，１００）をもとに（図１０）、当該構成要素に背景色が設定されているかを確認する（図６のＳ２２３）。
【０１０３】
ＣＰ０１には背景色が設定されているので、要素の重なり分析手段２０２から出力された情報（図１１）をもとに、当該構成要素の上に重なる他の構成要素があるかを確認（図６のＳ２２４）する。
【０１０４】
ＣＰ０１には重なる他の構成要素があるので、当該構成要素に一番重なりが近い（当該構成要素の真上の）他の構成要素：ＣＰ０３、ＣＰ１１の中に色が設定されている構成要素があるかを、図１０にて確認する（図６のＳ２２５）。
【０１０５】
ＣＰ０３、ＣＰ１１共に色が設定されているので、それらの面積（ＣＰ０３：２２１４００、ＣＰ１１：３１９８００）を図１０を参照して抽出し、当該構成要素ＣＰ０１を隠す他の構成要素面積として出力する（図６のＳ２２６）。
【０１０６】
当該構成要素ＣＰ０１の真上には色が設定されていない構成要素がないので（図６のＳ２２７−Ｎ）、上記のＳ２２６で出力した面積（ＣＰ０３：２２１４００、ＣＰ１１：３１９８００）を当該構成要素ＣＰ０１の面積（６６９９００）から引き算する。
【０１０７】
その結果、１２８７００を表示面積（利用者の目に見える面積）として図１２のＣＰ０１にあるように出力する（図６のＳ２３０）。その後、上記図６のＳ２２１に戻って、次の構成要素ＣＰ０２の表示面積を計算する。
【０１０８】
ＣＰ０２については、構成要素情報分析部２０から出力されたＣＰ０２の背景色の情報（Ｈ，Ｓ，Ｖ）＝（１５０，１００，４０）をもとに（図１０）、当該構成要素に背景色が設定されているかを確認する（図６のＳ２２３）。
【０１０９】
ＣＰ０２には背景色が設定されているので、要素の重なり分析手段２０２から出力された情報（図１１）をもとに、当該構成要素の上に重なる他の構成要素があるかを確認（図６のＳ２２４）する。
【０１１０】
ＣＰ０２には重なる他の構成要素がないので、図１０にあるＣＰ０２の面積（４１０００）を表示面積（利用者の目に見える面積）として図１２のＣＰ０２にあるように出力する（図６のＳ２２９）。上記Ｓ２２１に戻って次の構成要素の表示面積を計算する。図６のＳ２２１〜Ｓ２３６の動作を、全ての構成要素について表示面積を出力するまで繰り返す。
【０１１１】
つぎに、色別占有率計算の動作について図９の画面を例に説明する。上記構成要素の属性情報（図１０）と要素表示面積計算手段３０１が出力した構成要素ごとの表示面積の情報（図１２）を受けて、色別占有率計算手段３０２は、当該属性情報の中から背景色の情報を取り出してページ（画面）における背景色のリストを図１３のように作成する（図３のＳ１１１）。
【０１１２】
つぎに、上記背景色リストの中からまだ選択していない一色として（Ｈ，Ｓ，Ｖ）＝（０，０，１００）を選び（図３のＳ１１２〜Ｓ１１３）、図１０の属性情報から当該色を持つ構成要素として、ＣＰ０１、ＣＰ０５、ＣＰ０７、ＣＰ０９、ＣＰ１３、ＣＰ１５、ＣＰ１７、ＣＰ１９、ＣＰ２１、ＣＰ２３の１０構成要素を抽出する（図３のＳ１１４）。
【０１１３】
つぎに、図１２の構成要素ごとの表示面積情報から抽出構成要素の表示面積を取り出して合計し、当該表示面積として２７１９００を出力する（図３のＳ１１５）。さらに、算出した表示面積：２７１９００のページ（画面）全体の面積：６６９９００に対する割合を算出する。
【０１１４】
その結果、４１％を当該色の領域のページ（画面）占有率として図１４の（Ｈ，Ｓ，Ｖ）＝（０，０，１００）にあるように出力する（図３のＳ１１６）。Ｓ１１２〜Ｓ１１６の動作を、上記背景色リストにある全ての色が選択済みになるまで繰り返す。
【０１１５】
つぎに、配色検査の動作について図９の画面を例に説明する。色別明度・彩度検査手段４０２が、まだ選択していない一色として（Ｈ，Ｓ，Ｖ）＝（０，０，１００）を選んで（図２のＳ１２１〜Ｓ１２２）、当該色の明度（Ｖ＝１００）を保持する色閾値（例えば、「明度Ｖは８０以下とする」）と比較する（図２のＳ１２３）。
【０１１６】
当該色（Ｈ，Ｓ，Ｖ）＝（０，０，１００）の明度は色閾値を超えているので、色別占有率検査手段４０１が、色別占有率計算手段３０２から出力された当該色の領域の画面（ページ）全体に対する占有率：４１％を図１４から取り出し、当該色の領域の占有率を保持している占有閾値（例えば、「占有率は３０％以下とする」）と比較する（図２のＳ１２４）。
【０１１７】
当該色（Ｈ，Ｓ，Ｖ）＝（０，０，１００）の領域の占有率（４１％）は占有閾値（３０％以下）を超えているので、配色検査部４０が「当該色（Ｈ，Ｓ，Ｖ）＝（０，０，１００）は明度の点から目が疲れやすい配色である」との判定結果を出力する（図２のＳ１２５）。
【０１１８】
続いて、色別明度・彩度検査手段４０２が、当該色（Ｈ，Ｓ，Ｖ）＝（０，０，１００）の彩度（Ｓ＝０）を保持する色閾値（例えば、「彩度Ｓは８０以下とする」）と比較する（図２のＳ１２６）。
【０１１９】
当該色（Ｈ，Ｓ，Ｖ）＝（０，０，１００）の彩度は色閾値の範囲内なので、次の色（Ｈ，Ｓ，Ｖ）＝（１０５，８０，１００）を抽出して検査する（図２のＳ１２１〜Ｓ１２２）。
【０１２０】
つぎに抽出された色（Ｈ，Ｓ，Ｖ）＝（１０５，８０，１００）については、まず、当該色の明度（Ｖ＝１００）を保持する色閾値（例えば、「明度Ｖは８０以下とする」）と比較する（図２のＳ１２３）。
【０１２１】
当該色（Ｈ，Ｓ，Ｖ）＝（１０５，８０，１００）の明度は色閾値を超えているので、色別占有率検査手段４０１が、色別占有率計算手段３０２から出力された当該色の領域の画面（ページ）全体に対する占有率：１９％を図１４から取り出し、当該色の領域の占有率を保持している占有閾値（例えば、「占有率は３０％以下とする」）と比較する（図２のＳ１２４）。
【０１２２】
当該色（Ｈ，Ｓ，Ｖ）＝（１０５，８０，１００）の領域の占有率（１９％）は占有閾値（３０％以下）の範囲内なので、引き続き当該色の彩度（Ｓ＝８０）を保持する色閾値（例えば、「彩度Ｓは８０以下とする」）と比較する（（図２のＳ１２６）。
【０１２３】
当該色（Ｈ，Ｓ，Ｖ）＝（１０５，８０，１００）の彩度は色閾値を超えているので、色別占有率検査手段４０１が、色別占有率計算手段３０２から出力された色ごとの領域の画面（ページ）全体に対する占有率：１９％を図１４から取り出し、当該色の領域の占有率を保持している占有閾値（例えば、「占有率は１５％以下とする」）と比較する（図２のＳ１２７）。
【０１２４】
当該色（Ｈ，Ｓ，Ｖ）＝（１０５，８０，１００）の領域の占有率（１９％）は占有閾値（１５％以下）を超えているので、配色検査部４０が「当該色（Ｈ，Ｓ，Ｖ）＝（１０５，８０，１００）は彩度の点から目が疲れやすい配色である」との判定結果を出力する（図２のＳ１２８）。図２のＳ１２１〜Ｓ１２８の動作を、全ての色が検査済みになるまで繰り返す。
【０１２５】
最後に、配色検査部４０からの出力を受けて、検査結果表示部５０が、目の疲れやすい配色と判定された色について、「背景色（Ｈ，Ｓ，Ｖ）＝（０，０，１００）は明度の点から目が疲れやすい配色である」「背景色（Ｈ，Ｓ，Ｖ）＝（１０５，８０，１００）は彩度の点から目が疲れやすい配色である」のように、表示する。
【０１２６】
なお、本発明は本実施の形態に限定されるものではなく、その要旨を逸脱しない範囲で各種の変形を許容する。例えば、上記形態では文書がコンピュータ装置のディスプレイ画面に表示出力される電子データであることを例示した。しかし、本実施の形態はフルカラーで印刷出力される文書にも適用することができる。
【０１２７】
さらに、本実施の形態ではデータ処理装置の各部がコンピュータプログラムにより各種機能として論理的に実現されることを例示した。しかし、このような各部の各々を固有のハードウェアとして形成することもでき、ソフトウェアとハードウェアとの組み合わせとして実現することもできる。
【０１２８】
なお、本発明で云う色情報は、色相、明度、彩度、で表現することができる。構成要素の色が、ＲＧＢ(Red，Green，Blue)などの形式で設定されている場合には、「色相、明度、彩度」への変換を色情報の抽出のときに行えばよい。
【０１２９】
なお、当然ながら、上述した実施の形態および複数の変形例は、その内容が相反しない範囲で組み合わせることができる。また、上述した実施の形態および変形例では、各部の構造などを具体的に説明したが、その構造などは本願発明を満足する範囲で各種に変更することができる。
【０１３０】
この出願は、２０１０年５月２０日に出願された日本特許出願特願２０１０−１１５９２３号を基礎とする優先権を主張し、その開示の全てをここに取り込む。
【図１】
2011145257.tif 000003
【図２】
2011145257.tif 000004
【図３】
2011145257.tif 000005
【図４】
2011145257.tif 000006
【図５】
2011145257.tif 000007
【図６】
2011145257.tif 000008
【図７】
2011145257.tif 000009
【図８】
2011145257.tif 000010
【図９】
2011145257.tif 000011
【図１０】
2011145257.tif 000012
【図１１】
2011145257.tif 000013
【図１２】
2011145257.tif 000014
【図１３】
2011145257.tif 000015
【図１４】
2011145257.tif 000016
【国際調査報告】
2011145257.tif 000017
2011145257.tif 000018
2011145257.tif 000019